(57)【要約】  装置及び関連する方法は、直立構造物（街灯ポール等）に取り付けられる基部と、吊り下げ懸垂幕を支持している間に基部に着脱自在に係合する取付ブラケットと、取付ブラケットが基部に取り付けられるまでに取付ブラケット及び懸垂幕を着脱自在に保持する設置用アダプタとを含む。撤去用アダプタは、取付ブラケット及び懸垂幕を基部から係脱させることを容易にする。取付ブラケット及び設置用アダプタ（及び撤去用アダプタ）はポールに取り付けられ、離れた場所で、別個の締結具を用いることなく係合（及び係脱）し、従って、作業員が地面に立っている間に直立構造物上に高く懸垂幕を設置（又は撤去）することを可能にしている。基部及び取付ブラケットは、ばね付勢摩擦保持具によって固定される、くさびにより係合するテーパ形状を有している。設置用アダプタ及び撤去用アダプタは、基部からの取付ブラケットの離れた設置及び撤去を容易にする構造を有している。【選択図】図４７
2021503619.tif 000002
【特許請求の範囲】
【請求項１】
直立構造物上に懸垂幕を張るための調節可能なブラケットアセンブリであって、
前記直立構造物への取り付けのために構成される基部と、
前記懸垂幕を支持している間、前記基部を着脱自在に係合するよう構成される取付ブラケットと、を備え、
前記基部は、前記懸垂幕に張力を提供するために地表面から前記取付ブラケットを調節することを可能にするための前記取付ブラケット内部に位置する同様に構成されるラチェット面と着脱自在に係合するラチェット面を含む、調節可能ブラケットアセンブリ。
【請求項２】
前記懸垂幕を支持するための前記取付ブラケット内部に係合する懸垂幕担持ロッドを更に備える、請求項１に記載の調節可能ブラケットアセンブリ。
【請求項３】
前記懸垂幕担持ロッドは、前記地面に対して所定の角度で前記取付ブラケットに締結される、請求項２に記載の調節可能ブラケットアセンブリ。
【請求項４】
前記取付ブラケットは更に、前記ラチェット面の輪郭と略一致する輪郭を有するヘッド部を含む、請求項１に記載の調節可能ブラケットアセンブリ。
【請求項５】
前記ラチェット面の前記輪郭は、複数の逐次的係合位置によって形成される、請求項４に記載の調節可能ブラケットアセンブリ。
【請求項６】
前記懸垂幕の一端は前記直立構造物に固定して取り付けられ、前記調節可能ブラケットアセンブリは前記懸垂幕の他端の位置を垂直方向に調節するために用いられる、請求項１に記載の調節可能ブラケットアセンブリ。
【請求項７】
前記取付ブラケットの前記垂直位置は、ポール取付ツールを用いて前記地面から調節可能である、請求項１に記載の調節可能ブラケットアセンブリ。
【請求項８】
直立構造物上に吊り下げられる垂幕と共に用いるためのブラケットアセンブリであって、
第１表面を有する基部であって、前記直立構造物への取り付けのために構成される基部と、
前記基部に係合し、前記懸垂幕を支持する取付ブラケットと、を備え、
前記取付ブラケットは、前記取付ブラケットが前記懸垂幕の垂直位置を調節するために多数の進行位置において移動可能であるように、前記基部上の前記第１表面に係合するための第２表面を含む、ブラケットアセンブリ。
【請求項９】
前記第２表面は、懸垂幕を所望の位置に位置決めするために、前記基部上の前記第１表面を横断して垂直に移動する、請求項８に記載のブラケットアセンブリ。
【請求項１０】
前記第１表面は、前記第２表面上の略同様の輪郭に対応するための輪郭を含む、請求項８に記載のブラケットアセンブリ。
【請求項１１】
前記第１表面はラチェット面である、請求項８に記載のブラケットアセンブリ。
【請求項１２】
前記懸垂幕を支持するための前記取付ブラケット内部に係合する懸垂幕担持ロッドを更に備える、請求項８に記載のブラケットアセンブリ。
【請求項１３】
前記懸垂幕担持ロッドは、対向する取付ブラケットに対する所定の角度で前記取付ブラケットに締結される、請求項１２に記載のブラケットアセンブリ。
【請求項１４】
前記懸垂幕の一端は前記直立構造物に固定して取り付けられ、前記調節可能ブラケットアセンブリはその張力を調節するために前記懸垂幕の反対端の位置を垂直方向に調節するために用いられる、請求項８に記載のブラケットアセンブリ。
【請求項１５】
前記取付ブラケット位置は、ポール取付ツールを用いて前記地面から調節される、請求項８に記載のブラケットアセンブリ。
【請求項１６】
懸垂幕取付アセンブリであって、
直立構造物に固定して取り付けられる第１基部であって、第１取付ブラケットが懸垂幕の一端を保持するために前記第１基部に取り付けられる、第１基部と、
前記直立構造物に固定される第２基部であって、第２取付ブラケットが前記第２基部に取り付けられ、前記懸垂幕の反対端を支持している間、前記第２基部を着脱自在に係合するよう構成される、第２基部と、を備え、
前記第２基部は、前記懸垂幕に調節可能な張力を提供するために、前記第２取付ブラケットを前記第１取付ブラケットに対して垂直に調節することを可能にするよう前記第２取付ブラケットにおけるヘッド部と摺動可能に係合するラチェット面を含む、懸垂幕取付アセンブリ。
【請求項１７】
前記第１取付ブラケット内部に係合される第１懸垂幕担持ロッドと、前記第２取付ブラケット内部に係合される第２懸垂幕担持ロッドと、を更に備え、前記第１懸垂幕担持ロッド及び第２懸垂幕担持ロッドの両方が前記懸垂幕を支持する、請求項１６に記載の懸垂幕取付アセンブリ。
【請求項１８】
前記第１懸垂幕担持ロッドは第１角度で前記第１ブラケットに締結され、第２懸垂幕担持ロッドは第２反対の角度で前記第２ブラケットに締結される、請求項１６に記載の調節可能ブラケットアセンブリ。
【請求項１９】
前記係合面は、前記係合面が前記第２基部内の同様に構成されるラチェット面と当接して確実に保持することを可能にする摩擦生成保持具である、請求項１６に記載の調節可能ブラケットアセンブリ。
【請求項２０】
前記第２取付ブラケットは、入れ子状伸縮式ポール取付ツールを用いて前記地面から調節される、請求項１６に記載の調節可能ブラケットアセンブリ。
【請求項２１】
調節可能ブラケットアセンブリを用いて吊り下げ懸垂幕に張力をかけるための方法であって、
直立構造物への取り付けのために構成される複数の基部を提供するステップと、
各取付ブラケットが前記複数の基部の１つに取り付けられる複数の取付ブラケットを提供するステップと、
前記それぞれの取付ブラケットを前記複数の基部の少なくとも１つの上で摺動可能に調節することを可能にするために、そのそれぞれの取付ブラケット内部に位置する同様に構成される係合面と着脱自在に係合するラチェット面を含むように、前記複数の基部の少なくとも１つを構成することによって調節可能ブラケットアセンブリを形成するステップと、を含む、方法。
【請求項２２】
前記調節可能ブラケットアセンブリの前記位置を変更することによって、前記直立構造物上の前記懸垂幕の張力を調節するステップを更に含む、請求項２１に記載の吊り下げ懸垂幕に張力をかけるための方法。
【請求項２３】
前記懸垂幕の一端を移動させるために前記調節可能ブラケットアセンブリを位置決めするステップを更に含む、請求項２１に記載の吊り下げ懸垂幕に張力をかけるための方法。
【請求項２４】
前記懸垂幕を支持するために前記複数の取付ブラケットの少なくとも１つの内部に係合される懸垂幕担持ロッドを提供するステップを更に含む、請求項２１に記載の吊り下げ懸垂幕に張力をかけるための方法。
【請求項２５】
前記懸垂幕の動きを制限するために前記地面に対して所定の角度で前記懸垂幕担持ロッドを前記取付ブラケットに締結するステップを更に含む、請求項２４に記載の吊り下げ懸垂幕に張力をかけるための方法。
【請求項２６】
摩擦生成機構であって、
スロット付き間隙を有する保持クリップを備え、
前記保持クリップは、支持ロッド上の懸垂幕の動きを制限するために、懸垂幕及び前記懸垂幕支持ロッドの両方に固定される、摩擦生成機構。
【請求項２７】
滑り制限面を更に備え、
前記滑り制限面は、前記懸垂幕及び保持クリップの動きを制限するために前記懸垂幕支持ロッドの一部に取り付けられる、請求項２６に記載の摩擦生成機構。
【請求項２８】
前記保持クリップは、屈曲される場合にその元の形状を保持する材料で製造される、請求項２６に記載の摩擦生成機構。
【請求項２９】
前記制限される滑り面は、前記懸垂幕支持ロッドの前記表面に接着される、請求項２６に記載の摩擦生成機構。
【請求項３０】
前記懸垂幕支持ロッドは調節可能ブラケットに締結される、請求項２６に記載の摩擦生成機構。
【請求項３１】
前記保持クリップは、前記調節可能ブラケットの前に、地表面において前記懸垂幕及び前記懸垂幕支持ロッドの上に位置決めされる、請求項３０に記載の摩擦生成機構。
【請求項３２】
前記調節可能ブラケットは、伸縮式ポールツールを用いて地表面から調節される、請求項３０に記載の摩擦生成機構。
【請求項３３】
吊り下げ懸垂幕と共に用いるための摩擦生成機構であって、
前記懸垂幕を保持するために支持ブラケットに取り付けられる懸垂幕支持ロッドと、
前記懸垂幕支持ロッド上の懸垂幕の動きを制限するために前記懸垂幕及び前記懸垂幕支持ロッドの両方の上に締結される保持クリップと、
前記懸垂幕及び保持クリップの動きを制限するために前記懸垂幕支持ロッドの一部上に構成される滑り制限面と、を備える、摩擦生成機構。
【請求項３４】
前記保持クリップは管状体に構成される、請求項３３に記載の摩擦生成機構。
【請求項３５】
前記管状体は、前記保持クリップが前記懸垂幕支持ロッドの一部の上に摩擦係合することを可能にするための長手方向スロットを含む、請求項３４に記載の摩擦生成機構。
【請求項３６】
前記保持クリップは形状保持プラスチックから製造される、請求項３３に記載の摩擦生成機構。
【請求項３７】
前記滑り制限表面は前記懸垂幕支持ロッドの一部に接着される、請求項３３に記載の摩擦生成機構。
【請求項３８】
前記保持クリップは、前記懸垂幕の設置前に、地表面において前記懸垂幕及び前記懸垂幕支持ロッドの上に位置決めされる、請求項３７に記載の摩擦生成機構。
【請求項３９】
前記支持ロッドは調節可能ブラケットを用いて構成される、請求項３７に記載の摩擦生成機構。
【請求項４０】
前記調節可能ブラケットは、伸縮式ポールツールを用いて地表面から調節される、請求項３９に記載の摩擦生成機構。
【請求項４１】
吊り下げ懸垂幕と共に用いるための摩擦生成機構を形成するための方法であって、
その本体にスロット付き間隙を有する保持クリップを構成することと、
前記支持ロッド上の懸垂幕の動きを制限するために、前記保持クリップを前記懸垂幕及び懸垂幕支持ロッドの上に締結することと、を含む、方法。
【請求項４２】
保持クリップを管状体に形成するステップであって、スロット付き間隙が前記本体の一部を通って長手方向に延在するステップを更に含む、請求項４１に記載の摩擦生成機構を形成するための方法。
【請求項４３】
前記懸垂幕及び前記保持クリップの動きを制限するために前記懸垂幕支持ロッドの一部に滑り制限面を構成するステップを更に含む、請求項４１に記載の懸垂幕保持アセンブリを形成するための方法。
【請求項４４】
その形状を実質的に保持する材料を用いて前記保持クリップを製造するステップを更に含む、請求項４１に記載の摩擦生成機構を形成するための方法。
【請求項４５】
その表面を完全に巻回しないように、前記懸垂幕支持ロッドの一部に前記滑り制限面を接着するステップを更に含む、請求項４１に記載の摩擦生成機構を形成するための方法。
【請求項４６】
前記懸垂幕支持ロッドを調節可能ブラケットに締結するステップと、
地表面から懸垂幕支持ロッドの位置を調節するステップと、を更に含む、請求項４１に記載の摩擦生成機構を形成するための方法。
【請求項４７】
伸縮式ポールツールを用いて前記地面から前記懸垂幕支持ロッドの前記張力を調節するステップを更に含む、請求項４１に記載の摩擦生成機構を形成するための方法。
【請求項４８】
前記懸垂幕の設置前に、地表面において前記懸垂幕及び前記懸垂幕支持ロッドの上に前記保持クリップを位置決めするステップを更に含む、請求項４１に記載の摩擦生成機構を形成するための方法。
【発明の詳細な説明】
【技術分野】
【０００１】
[0001]  本発明は、一般に、懸垂幕吊り下げ装置に関し、特に、ポールから吊り下げられている間に懸垂幕の端部同士の間に張力を提供するために懸垂幕と共に用いられる調節可能ブラケットに関する。
【背景技術】
【０００２】
[0002]  本発明は、旗及び懸垂幕吊り下げ装置及び方法に関し、特に、旗を取り付ける／それらの取付ブラケットからそれらを取り外す間、設置者／撤去者が地面に立つことを可能にする季節的な旗／懸垂幕を吊り下げるための装置及び方法に関する。
【０００３】
[0003]  多くの事業体は、柱、ポール、建物、及び他の直立構造物から旗及び懸垂幕（以下、概して「懸垂幕」と称する）を吊り下げる。理由は様々であり、街路の外観の向上から、宣伝、チームの成果及び活動を促進すること、休日及び特別なイベントを祝うことに及ぶ。旗及び懸垂幕を吊り下げるための公知のシステムは、旗／懸垂幕を取付ブラケットに取り付ける（又は取り外す）ために、設置者／撤去者が旗／懸垂幕の高さにいることを必要とする。例えば、先行技術における１つの方法を示す図４３を参照されたい。また、はしご及び他の手段を用いることができる。
【０００４】
[0004]  しかし、公知の先行技術の方法及び装置は、所望するよりも効率が悪く、相当の人力及び資本設備を必要とし、それらを安全にし、設置／撤去中の責任を限定する労力を必要とする。また、公知の先行技術の方法及び装置は、多くの場合、設置／撤去中に交通の流れの混乱を容認できないほど必要とする傾向がある。例えば、図４３の図示の方法は、作業員用バスケットを有する実用リフトトラックによって作業員を空中に高く持ち上げるが、比較的コストが高く（それがリフトトラック又は他の高価な資本設備を必要とするため）、望むよりも安全ではなく（作業員が地面より上の高所に持ち上げられ、高電圧に近接する可能性があるため）、煩雑であり（接続は、多くの場合、別々のボルト／ジップタイ／又は締結具を必要とするため）、多大な労力を必要とし、隣接する地域を一時的に立ち入り禁止にするか又は通行止めにする必要があり（歩行者及び／又は車両が作業員の下を通過しないように）、及び／又は懸垂幕の設置に先立って、駐車メータ／スペースをフードで覆うか及び／又は料金を支払っておくことにより、費用が大幅に増加する。コスト、設備投資、設置及び撤去の効率、並びに安全性の点で節約／改善を提供する改善が望まれる。また、道路通行優先権から懸垂幕／旗を設置又は撤去する作業を行いながら交通工学サービスに対するニーズを潜在的に解消する改善が望まれている。
【０００５】
[0005]  添付の図は、同様の参照番号が個別の図全体を通じて同一又は機能的に類似する構成要素を指し、以下の詳細な説明と共に明細書に組み込まれ、その一部を形成し、様々な実施形態を更に示し、本発明による全ての様々な原理及び利点を説明するのに役立つ。
【図面の簡単な説明】
【０００６】
【図１】図１は、基部、取付ブラケット、及び設置用アダプタを含む、本発明を具現化する装置を示す立面図であり、図は、２つの予め取り付けられ、離間された基部を有する街灯ポールを示し、作業員が設置用アダプタをその上端に有する入れ子状伸縮式ポールを保持しており、設置用アダプタは、基部への設置のために街灯ポールの頂部近くの位置まで持ち上げられている間、２つの取付ブラケット及び懸垂幕を保持している。
【図２】図２は、図１と同様の立面図であるが、図２は、上部基部に取り付けられる上部取付ブラケットを示している（設置用アダプタ及び第２ブラケット／懸垂幕が少し下げられている）。
【図３】図３は、図１と同様の立面図であるが、図３は、ポール上のそれぞれの基部に取り付けられる上部及び下部取付ブラケットの両方を示している（ポール及び設置用アダプタは完全に引き離されている）。
【図４】図４は、図１の基部、取付ブラケット、及び設置用アダプタの分解斜視図であり、構成部品の相互係合を示す線を含む。
【図５】図５は、図１の上部と同様の拡大図であるが、上部／下部ロッド及び上部／下部取付ブラケットを有する懸垂幕を示し、ポール上のそれぞれの基部への上部／下部取付ブラケットの組み立て経路を示している（上部が最初に取り付けられる）。
【図６】図６は、図４からの基部の斜視図であり、取付ブラケット及び設置用アダプタの組み合わせで、別の緩締結具の必要性をなくし、離れた（地上）位置から設置を行うことを可能にしている。
【図７】図７は、図４からの取付ブラケットの斜視図であり、基部及び設置用アダプタの組み合わせで、別の緩締結具の必要性をなくし、離れた（地上）位置から設置を行うことを可能にしている。
【図８】図８は、図４からの設置用アダプタの斜視図であり、基部及び取付ブラケットの組み合わせで、別の緩締結具の必要性をなくし、離れた（地上）位置から設置を行うことを可能にしている。
【図９Ａ】図９Ａは、図７の線ＩＸ−ＩＸに沿って取られた取付ブラケットの断面図であり、ばね付勢保持具がロック位置で示されている。
【図９Ｂ】図９Ｂは、図９Ａと同様の断面図であるが、取付ブラケット上のばね付勢保持具を解放位置に保持するフィンガ部を有する撤去用アダプタを示す。
【図９Ｃ】図９Ｃは、図７からの取付ブラケットの追加の斜視図であり、取付ブラケット、保持具、保持具の付勢ばね、懸垂幕担持ロッドのうちの１つ（図５を参照）、懸垂幕シート保持クリップ、及び種々の他の構成要素の関係を示す。
【図９Ｄ】図９Ｄは、図７からの取付ブラケットの追加の斜視図であり、取付ブラケット、保持具、保持具の付勢ばね、懸垂幕担持ロッドのうちの１つ（図５を参照）、懸垂幕シート保持クリップ、及び種々の他の構成要素の関係を示す。
【図９Ｅ】図９Ｅは、図７からの取付ブラケットの追加の斜視図であり、取付ブラケット、保持具、保持具の付勢ばね、懸垂幕担持ロッドのうちの１つ（図５を参照）、懸垂幕シート保持クリップ、及び種々の他の構成要素の関係を示す。
【図１０】図１０は、図１に示すものと同様の、その上端に設置用アダプタを有する入れ子状伸縮式ポールの側面図である。
【図１１】図１１は、図１に示すものと同様の、その上端に設置用アダプタを有する入れ子状伸縮式ポールの正面図である。
【図１２】図１２は、取付ブラケットに係合する撤去用アダプタの斜視図であり（図９Ｂも参照）、取り外しブラケットは、取付ブラケット上のばね付勢保持具のアームに係合して、保持具を解放し、従って、所定の基部からの取付ブラケットの撤去を容易にし、従って、別の緩締結具の必要性をなくし、離れた位置から撤去を行うことを可能にしている。
【図１３】図１３は、ポール、２つの下向きの離間された設置用アダプタ（図１０を参照）及び２つの上向きの離間された撤去用アダプタ（図１２を参照）を含む修正された装置の側面図である。
【図１４】図１４は、図１３の設置用アダプタを有するポールツールを用いる立面図であり、街灯ポールの基部から懸垂幕／取付ブラケットを順次撤去することを示す。
【図１５】図１５は、図１３の設置用アダプタを有するポールツールを用いる立面図であり、街灯ポールの基部から懸垂幕／取付ブラケットを順次撤去することを示す。
【図１６】図１６は、図１３の設置用アダプタを有するポールツールを用いる立面図であり、街灯ポールの基部から懸垂幕／取付ブラケットを順次撤去することを示す。
【図１７】図１７は、図３と同様の部分立面図であるが、２つの変更された基部と２つの変更された取付ブラケットとを含む変更された取付システムによって保持される懸垂幕を示す。
【図１８】図１８は、図１７の分解斜視図であり、一対の街灯ポールに取り付けられる基部から分解された取付ブラケットを担持する懸垂幕を示す。
【図１９】図１９は、図１８の基部の正面図である。
【図２０】図２０は、図１８の基部の平面図である。
【図２１】図２１は、図１８の基部の側面図である。
【図２２】図２２は、図１８の基部の底面図である。
【図２３】図２３は、図１８の基部の背面図である。
【図２４】図２４は、図１８の取付ブラケットの正面図である。
【図２５】図２５は、図１８の取付ブラケットの平面図である。
【図２６】図２６は、図１８の取付ブラケットの側面図である。
【図２７】図２７は、図１８の取付ブラケットの底面図である。
【図２８】図２８は、図１８の取付ブラケットの背面図である。
【図２９】図２９は、係合する基部への取付ブラケットの設置を示す側面図である（図１７〜１８を参照）。
【図３０】図３０は、係合する基部への取付ブラケットの設置を示す側面図である（図１７〜１８を参照）。
【図３１】図３１は、係合する基部への取付ブラケットの設置を示す側面図である（図１７〜１８を参照）。
【図３２】図３２は、係合する基部への取付ブラケットの設置を示す側面図であり（図１７〜１８を参照）、基部の上部ロック位置にロックされている取付ブラケットを示す。
【図３３】図３３は、図３２と同様の側面図であるが、設置中、取付ブラケットが基部上のより低いロック位置に調節することができることを示す。
【図３４】図３４は、係合フランジの摺動係合を含む、基部に対する取付ブラケットの関係を示す図３２（又は図３３）を通る水平断面図である。
【図３５】図３５は、左側の２つの下向きの設置用アダプタと右側の２つの上向きの撤去用アダプタとを含む、ポールに取り付けられるツールの斜視図である。
【図３６】図３６は、図３５の設置用アダプタに着脱自在に保持される取付ブラケットを示す斜視図である。
【図３７】図３７は、撤去用アダプタに保持される取付ブラケットを示す斜視図であり、撤去用アダプタ上の板ばねプロングが取付ブラケット上のばね付勢保持具に係合して保持具をその解放位置に保持し、ブレットノーズ整列プロングが取付ブラケットの撤去用アダプタの中央にある。
【図３８】図３８は、図１〜３と同様の図であるが、図１７〜１８、３５の変更された取付システムを示し、設置前位置を示す。
【図３９】図３９は、図１〜３と同様の図であるが、図１７〜１８、３５の変更された取付システムを示し、ポールに取り付けられる基部に設置される上部取付ブラケットを示すが、ポールツールの設置用アダプタに更に取り付けられる下部取付ブラケットを示す。
【図４０】図４０は、図１〜３と同様の図であるが、図１７〜１８、３５の変更された取付システムを示し、街灯ポール上の離間された基部に取り付けられる上部及び下部取付ブラケットを有する完全に取り付けられた懸垂幕を示す。
【図４１】図４１は、図１５〜１６と同様の図であるが、図１７〜１８、３５の変更された取付システムを示し、下側取付ブラケットが解放され、ポールツール上にあるが、上側取付ブラケットが街灯ポールの上部基部にまだ取り付けられていることを示す。
【図４２】図４２は、図１５〜１６と同様の図であるが、図１７〜１８、３５の変更された取付システムを示し、上部及び下部取付ブラケットがポールツール上の離間された撤去用アダプタによって担持されている完全に取り付けられていない懸垂幕を示す。
【図４３】図４３は、先行技術の設置方法を示す立面図である。
【図４４】図４４は、上部調節可能ブラケットアセンブリを示す正面分解図である。
【図４４Ａ】図４４Ａは、発明の代替の実施形態による懸垂幕及び懸垂幕担持ロッドの上に係合される懸垂幕保持クリップを示す拡大断面図である。
【図４５】図４５は、図４４に示す上部調節可能ブラケットアセンブリの背面分解図である。
【図４６】図４６は、図４４及び図４５で見て取れる上部ブラケットの側面断面図である。
【図４７】図４７は、ポールに取り付けられる旗／懸垂幕に張力をかけるための下部調節可能ブラケットアセンブリを示す正面分解図である。
【図４８】図４８は、図４７に示す下部調節可能ブラケットアセンブリの背面分解図である。
【図４９】図４９は、下部調節可能ブラケットの側面断面図である。
【図５０】図５０は、ラチェット面と係合するラチェットヘッド部の拡大断面図を示す。
【図５１】図５１は、ラチェット面から係脱するラチェットヘッド部の拡大断面図を示す。
【図５２】図５２は、懸垂幕を支持する上部ブラケット及び下部調節可能ブラケットの立面図である。
【０００７】
[0041]  当業者は、図面内の構成要素が簡略化及び明確化のために示されており、必ずしも正確な縮尺で描かれてはいないことを正しく認識するであろう。例えば、図面内の構成要素のうちの幾つかの寸法は、本発明の実施形態の理解を向上させることに役立つよう、他の構成要素と比較して誇張されている可能性がある。
【発明の概要】
【０００８】
[0042]  本発明の一態様において、直立構造物に懸垂幕を吊り下げるための装置は、直立構造物への取り付けのために構成される基部と、懸垂幕を支持している間、基部を着脱自在に係合するよう構成される取付ブラケットと、取付ブラケットを着脱自在に担持するが、取付ブラケットが基部に固定される場合に解放するよう構成される設置用アダプタとを備える。
【０００９】
[0043]  本発明の別の態様において、直立構造物に吊り下げられた懸垂幕を撤去するための装置は、直立構造物への取り付けのために構成される基部と、基部に係合し、懸垂幕を支持する取付ブラケットと、取付ブラケットに係合し、取付ブラケットを基部から解放するよう構成される撤去用アダプタとを備える。基部、取付ブラケット、及び撤去用アダプタは、別の緩締結具を用いることなく係合及び係脱するよう構築される。
【００１０】
[0044]  本発明の別の態様において、装置は、直立構造物及び直立構造物に取り付けられる一対の基部と、懸垂幕、及び懸垂幕を吊り下げ位置に支持している間、基部を着脱自在に係合するよう構成される一対の取付ブラケットを含む懸垂幕アセンブリと、ポール、及び取付ブラケットを着脱自在に保持するが、取付ブラケットが基部に固定された場合に次いで解放するよう構成される、ポールの上に取り付けられる少なくとも１つの設置用アダプタを含む設置ツールとを備える。
【００１１】
[0045]  本発明の別の態様において、直立構造物に懸垂幕を吊り下げるための装置は、基部を直立構造物に取り付けるためのバンド保持具を受ける第１フランジを有し、ブラケット保持キャビティを画成する第２フランジを有する基部と、ブラケット保持キャビティにくさびにより嵌合する形状とされる係合部分を有し、取付ブラケットを基部に保持するための摩擦生成保持具を有する取付ブラケットであって、懸垂幕担持ロッドを支持するためのロッド支持構造も有する取付ブラケットと、ブラケット保持キャビティ内への設置中に取付ブラケットを保持するよう構成され、取付ブラケットを次いで解放するよう構成される設置用アダプタを備える。
【００１２】
[0046]  本発明の別の態様において、直立構造物に懸垂幕を吊り下げるための方法は、直立構造物への取り付けのために構成される基部を提供することと、懸垂幕を支持している間、基部を着脱自在に係合するよう構成される取付ブラケットを提供することと、取付ブラケットを着脱自在に保持し、取付ブラケットが基部に固定される場合に次いで解放するよう構成される設置用アダプタを提供することと、取付ブラケットを設置用アダプタに取り付け、次いで、別の締結具を用いることなく取付ブラケットを基部に設置するために設置用アダプタを用いることと、設置用アダプタを取付ブラケットから係脱させることを含む。
【００１３】
[0047]  本発明の別の態様において、直立構造物に吊り下げられる懸垂幕を設置するための方法は、基部及び基部に係合するようなされる懸垂幕担持取付ブラケットを提供することと、ポールに取り付けられる設置用アダプタを用いて取付ブラケットを係合し、次いで、別の緩締結具を用いることなく取付ブラケットを基部に係合させ、設置用アダプタは、取付ブラケットが基部に取り付けられた後、取付ブラケットを解放することとを含む。
【００１４】
[0048]  本発明の別の態様において、直立構造物に吊り下げられる懸垂幕を撤去するための方法は、基部及び基部に取り付けられる懸垂幕担持取付ブラケットを提供することと、ポールに取り付けられる撤去用アダプタを用いて取付ブラケットを係合し、別の緩締結具を用いることなく取付ブラケットを基部から係脱させることとを含む。
【００１５】
[0049]  本発明の別の態様において、直立構造物に懸垂幕を吊り下げるための方法は、直立構造物への取り付けのために構成される基部を提供することと、懸垂幕を支持している間、基部を着脱自在に係合するよう構成される取付ブラケットを提供することと、取付ブラケットを着脱自在に保持し、取付ブラケットが基部に固定される場合に次いで解放するよう構成される設置用アダプタを提供することと、取付ブラケットを設置用アダプタに取り付け、次いで、設置用アダプタを用いて取付ブラケットを基部に設置し、その後、設置用アダプタを取付ブラケットから係脱させ、それは離れて、別の締結具を用いることなく行われることを含む。
【００１６】
[0050]  本発明の別の態様において、直立構造物に吊り下げられた懸垂幕を撤去するための方法は、直立構造物への取り付けのために構成される基部を提供することと、懸垂幕を支持している間、基部を着脱自在に係合するよう構築される取付ブラケットを提供することと、取付ブラケットを係合し、取付ブラケットを基部から解放するよう構成される撤去用アダプタを提供することと、撤去用アダプタを用いて最初に取付ブラケットを係合し、次いで更に撤去用アダプタを用いて取付ブラケットを基部から係脱させ、それは離れて、別の締結具を用いることなく行われることを含む。
【００１７】
[0051]  本発明の別の態様において、方法は、少なくとも１つの基部を直立構造物に取り付けることと、軟質懸垂幕及び少なくとも１つの取付ブラケットを含む懸垂幕アセンブリを提供することと、ポール及びポールの上に取り付けられる少なくとも１つの設置用アダプタを含む設置用ツールを提供することと、設置用ツールを用いて、軟質懸垂幕を吊り下げ位置で支持している間に少なくとも１つの取付ブラケットを基部と着脱自在に係合することと、その後、取付ブラケットが基部に固定されると、設置用ツールを少なくとも１つの取付ブラケットから解放することを含む。
【００１８】
[0052]  本発明の別の態様において、方法は、直立構造物体への取り付けのための保持締結具を受ける第１フランジとテーパ付キャビティを画成する第２フランジとを有する基部を提供することと、テーパ付キャビティにくさびにより嵌合するような形状とされる係合テーパ付部分を有し、取付ブラケットを基部に保持するための摩擦生成保持具を有し、ロッド支持構造に係合するロッドに懸垂幕を支持するための水平ロッド支持構造も有する取付ブラケットを提供することと、取付ブラケットを保持し、係合テーパ付部分がテーパ付キャビティに嵌合する際に取付ブラケットを次いで解放するよう構成される設置用アダプタを提供することと、設置用アダプタを用いて取付ブラケットを操作して取付ブラケットをテーパ付キャビティ内にくさびにより嵌合させることと、更に、設置用アダプタを操作して設置用アダプタを取付ブラケットと係脱させることとを含む。
【００１９】
[0053]  本発明の更に別の態様において、直立構造物にポールに取り付けられる懸垂幕の張力をかけるための調節可能ブラケットアセンブリ。調節可能ブラケットアセンブリは、直立構造物への取り付けのために構成される基部と、懸垂幕を支持している間、基部を着脱自在に係合するよう構成される取付ブラケットとを含む。基部は、懸垂幕に張力を提供するために垂直に調節される取付ブラケットを垂直に調節することを可能にするための取付ブラケット内部に位置するヘッド部と着脱自在に係合するラチェット面を含む。
【００２０】
[0054]  本発明の別の態様において、直立構造物に吊り下げられる懸垂幕と共に用いるためのブラケットアセンブリは、直立構造物への取り付けのために構成されるラチェット面を有する基部と、基部に係合し、懸垂幕を支持する取付ブラケットとを含む。取付ブラケットは、懸垂幕の垂直位置を調節するために基部上のラチェット面に係合するためのヘッド部を含むので、その吊り下げ張力を容易に調節することができる。
【００２１】
[0055]  発明の更に別の態様で、懸垂幕取付アセンブリは、直立構造物に固定して取り付けられ、第１取付ブラケットが懸垂幕の上端を保持するために第１基部に取り付けられる第１基部と、直立構造物に固定され、第２取付ブラケットが第２基部に取り付けられ、懸垂幕の下端を支持している間、第２基部に着脱自在に係合するよう構成される第２基部とを備える。第２基部は、懸垂幕に調節可能な張力を提供するために、第２取付ブラケットを第１取付ブラケットに対して垂直に調整することを可能にするために第２取付ブラケットにおけるヘッド部と摺動可能に係合するラチェット面を含む。
【００２２】
[0056]  発明の更に別の態様において、吊り下げ懸垂幕と共に用いるための調節可能ブラケットアセンブリを形成するための方法であって、直立構造物への取り付けのために構成される複数の基部を提供するステップと、各取付ブラケットが複数の基部の１つに取り付けられる複数の取付ブラケットを提供するステップと、取付ブラケットを少なくとも１つの基部の上で摺動可能に調節することを可能にするために、その取付ブラケット内部に位置するヘッド部と着脱自在に係合するラチェット面を含むように、複数の基部の少なくとも１つを構成することによって調節可能ブラケットアセンブリを形成するステップを含む方法を教える。
【００２３】
[0057]  最後に、発明の別の態様は、スロット付間隙を有する保持クリップを備える懸垂幕保持アセンブリを含み、保持クリップは、支持ロッド上の懸垂幕の動きを制限するために懸垂幕支持ロッドの上に締結される。アセンブリは、更に、保持クリップの動きを制限するために懸垂幕支持ロッドの一部に取り付けられる制限される滑り面の使用を含む。
【００２４】
[0058]  本発明のこれら及び他の態様、目的、及び特徴は、以下の明細書、特許請求の範囲、及び添付図面を検討することにより、当業者によって理解及び正しく認識されるであろう。
【発明を実施するための形態】
【００２５】
[0059]  本発明による実施形態を詳細に説明する前に、実施形態は、懸垂幕を設置、撤去、及び交換する装置及びプロセスに関する方法ステップ及び装置構成部品の組み合わせに主に存在することを認めるべきである。従って、装置構成部品及び方法ステップを、図面内の従来の記号によって適切な箇所に表しており、本明細書中の説明の恩恵を受ける当業者にとって容易に明らかとなる詳細により開示を不明瞭にしないように、本発明の実施形態を理解することに関するそれらの特定の詳細のみを示す。
【００２６】
[0060]  この文書において、第１及び第２、頂部及び底部、等のような関係語は、１つの実体又は行動を、かかる実体又は行動同士の間の任意の実際のかかる関係又は順序を必ずしも必要又は示唆することなく、別の実体又は行動と区別するためにのみ用いられてもよい。用語「備える」、「備えている」及び、それらのその他の変形例も、非排他的包含をカバーすることを意図しているので、構成要素の一覧を備えるプロセス、方法、製品、又は装置は、それらの構成要素のみを含むのではなく、明示的に列挙されていないか又はかかるプロセス、方法、製品、又は装置に固有の他の構成要素を含んでいてもよい。「１つの〜を備える」で始まる構成要素は、更なる制約なしに、その構成要素を備えるプロセス、方法、製品、又は装置において追加の同一構成要素の存在を除外しない。
【００２７】
[0061]  本装置３０（本明細書中で「アタッチメントシステム」とも呼ぶ、図１〜図４）は、基部３１、取付ブラケット３２、設置用アダプタ３３（図４、図８）、及び更に、撤去用アダプタ３４（図１２〜図１３）を含んでいる。これらの構成部品は組み合わされ、協働して、作業員が地面に立っている間に空中高くに懸垂幕４０を設置することを可能にする。図１〜図３は、街灯ポール上の一対の基部３１を示しているが、基部は任意の直立構造物上で支持することができると考えられる。更に、本明細書中で用いるように、用語「懸垂幕」は、旗、美的装飾シート／懸垂幕／布、及び／又は、写真、デザイン、情報等のしるし、若しくはそれらの上の文書／テキスト／しるしを有する他の軟質シートをカバーすることを意図している。更に具体的に言うと、本装置３０は、直立構造物３６（街灯ポール又は建物等）に取り付けられる一対の離間する基部３１を含んでいる。図示のストラップ３７は２つの基部３１を街灯ポールに取り付けるが、基部は、ねじ、ボルト、ジップタイ、フック、ブラケット、釘、接着剤、接合、等のような所望の任意の締結具によって取り付けることができると考えられる。手動で保持される入れ子状に伸縮自在なポール３８は横棒３９を有する上端を含んでおり、２つの離間した設置用アダプタ３３が横棒３９から下方に延在している。懸垂幕４０は、その上にしるし４２を有し、設置される場合に懸垂幕４０を支持する上部及び下部水平ロッド４３、４４を有する軟質シート４１を含んでいる。取付ブラケット３２は各ロッド４３、４４の内側端に取り付けられ、必要に応じて、クリップ若しくはジップタイ又は他の滑り止め構成部品が、懸垂幕４０がロッド４３、４４の一端に向かって集まらないよう保持するために用いられる。
【００２８】
[0062]  設置の１つの方法は以下のように進行する。基部３１は、所望の間隔を空けた関係で直立支持構造（例えば、街灯ポール又は建物）に予め設置されている。２つの取付ブラケット３２（ロッド４３、４４がその内部に固定される）は、懸垂幕４０をロッド間に吊り下げた状態で設置用アダプタ３３に着脱自在に係合される。伸縮式ポール３８が伸長され（作業員が地面に立った状態で）、取付ブラケット３２が作業員によって操作されて、第１に上部取付ブラケット３２を下げて上部基部３１（図２参照）と係合させ、次いで第２に、底部取付ブラケット３２を下げて底部基部３１と係合させる（図３参照）。両方の取付ブラケット３２がそれぞれの基部３１に取り付けられると、懸垂幕４０（シート４１及びロッド４３、４４を含む）は、懸垂幕４０が読み取れる位置でロッド４３、４４の間に広がった状態で、直立構造物３６上に支持される。設置後、設置用アダプタ３３を有する伸縮式ポール３８を離すことができる。特に、本システムはいずれかの個別の緩締結具を必要とせず、従って、個別の手動工具又はリフトトラック又ははしごを必要とせずに離れて手動設置を可能にしている。本設置方法は、懸垂幕４０から離れて位置する作業員によって（すなわち、地上におり、地面から数フィート上に位置する作業員ではなく）懸垂幕４０を吊り下げることができるため、はるかに安全であると考えられる。また、懸垂幕４０は、別個の締結具を使用せずに、及び、地面よりも上の高い位置にある間（及び多くの場合、例えば、寒さ、暑さ、風、雨、雪、又は他の天気の困難な天候を受ける間）に締結具を操作しようと試みる場合に生じる煩雑さ及び困難の全てがなく、吊り下げることができる。
【００２９】
[0063]  基部３１（図６）は、金属又はポリマー又は他の構造材料から作ることができ、成形若しくは機械加工等の異なる方法から作ることができる。図示の基部３１は、直立構造物３６に安定して係合する（街灯ポールの形状と一致する曲線等）形状にされる第１区分５１と、取付ブラケット３２に安定して係合する形状にされる対向する第２区分５２とを有するポリマー成形体である。第１区分５１は、また、直立構造物３６への「ループ」取り付けのためのストラップ３７（又はジップタイ又はスチールバンド）を受ける幅及び形状を有する一対の横方向フランジ５４をその「背面」に含む。横方向フランジ５４は、また、既存の直立構造物３６の形状／構成に応じて、基部３１を直立構造物３６に保持するよう取付ボルト／ねじ／釘／フック／ブラケットを受けるための穴又は他の構造を含んでいてもよい。第１区分５１は、多くの異なる直立構造物への取り付け、及び多くの異なる締結装置による取り付けを設けるよう成形及び構成することができることが考えられる。例えば、懸垂幕４０は、掲げられた懸垂幕４０の最適な可視性を可能にする高い位置を提供する建物壁面及び無数の他の構造に取り付けることができることが考えられる。第２区分５２は、その上部領域の中心に縁部フランジ５６、保持穴５７、及び傾斜５８を有する上向きにテーパが付けられた突出部５５を含んでいる。
【００３０】
[0064]  取付ブラケット３２（図７）は、取付区分６０、ボス状懸垂幕ロッド係合区分６１、及び保持区分６２を有するポリマー成形体である。取付区分６０は、嵌合するテーパ付キャビティ６４を画定するフランジ６３を含んでいる。取付区分６０のフランジ６３は、基部３１へ下向きの取付ブラケット３２の嵌合組み付けのために、縁部フランジ５６をテーパ付突出部５５上に摺動させて係合するような形状にされている。懸垂幕ロッド係合区分６１は、懸垂幕ロッド４３、４４のうちの１つの端部を受けるための中心穴を有する円筒形突出部６５を含む。円筒形突出部６５は、ラッチ穴６６若しくは開口又はロッド４３（又は４４）が円筒形突出部６５に確実に固定されることを可能にする他の特徴を含んでいてもよい。懸垂幕４０は、懸垂幕がロッド４３、４４の一端に集まらないように、クリップ又は他の手段によってロッド４３及び４４に固定することができる。例えば、ロッド上のＵ字形クリップ又は取付ブラケット自体の特徴に連結されるジップタイを用いることができる。
【００３１】
[0065]  取付ブラケット３２の保持区分６２（図９Ａ）は、側面スロット６８及びスタンドオフ６９を有する中空ボス６７を含んでいる。Ｔ字形ばね付勢保持具７０（本明細書中で「ラッチ部材」とも呼ぶ）は、スロット６８を通って延在する対向アーム７１を含み、基部３１内のラッチ穴６６と係合するような形状にされたラッチ先端７２を含む。付勢ばね７３は、取付ブラケット３２が基部３１に取り付けられる場合に、保持具７０を基部３１に向かってロック位置に付勢する。傾斜５８は、取付ブラケット３２が所定の基部３１上に低下される場合に、傾斜５８が保持具に摺動して係合してばね７３の付勢力に打ち勝ち、ラッチ先端７２を十分に後退させて上に及びラッチ穴６６に滑り込ませるような形状とされる。結果として生じる保持力及び「動作」は確実であり、堅牢であるので、作業員は、それが生じる場合に確実な係合を感じ取ることができる。付勢ばね７３は、対向するアーム７１同士を移動させてスタンドオフ６９と当接させ、当接は、下で検討するような、撤去用アダプタ３４のくさび先端がアーム７１の下に入って、撤去のためにラッチ穴６６からラッチ部材７０を解放するためのアーム７１の下の十分な空間を提供する（図１２を参照）。
【００３２】
[0066]  図９Ｂは、図９Ａと類似する断面図であるが、保持具７０をその非係合／解放位置に係合及び保持するフィンガ部８２を有する撤去用アダプタ３４を示している。図９Ｃ、図９Ｄ、及び図９Ｅは、図７からの取付ブラケット３２の更なる斜視図であり、取付ブラケット３２、保持具７０、及び保持具付勢ばね７３の関係を示している。図９Ｃ、図９Ｄ、及び図９Ｅは、また、ロッド４４（又は４５）、ロッドを取付ブラケット３２に固定するロッド固定構成部品、及び懸垂幕４０をロッド４４（又は４５）に保持する懸垂幕クリップの関係も示している。懸垂幕ロッド４３及び４４は、中空金属管として示されているが、それらは、また、中実又は充填されていてもよく、プラスチック又は別の材料であってもよいことが考えられる。ロッド４３（及びロッド４４）は、穴と、ロッド４３（及び４４）内の穴を通って延在する固定ピン９０とを含み、固定ピン９０は、また、ロッドを取付ブラケット３２に固定して保持するよう、取付ブラケット３２のボス６１内の穴／スロット９１を通って延在している。固定ピン９０は、固定ピン９０が誤って緩まないように、取付ブラケット３２に自己固定（又は摩擦係合）するボルト若しくはばねクリップ又は他の取付部材であることができると考えられる。ロッド４４／４５は、取付ブラケット３２の内側に摩擦ばめ、接着、又は接合することができると考えられる。Ｕ字形弾性懸垂幕固定クリップ９３は、懸垂幕シート４１より上でロッド４３（又は４４）上にスナップ留めし、従って、懸垂幕シート４１をロッド４３（又は４４）に固定している。ジップタイ９４（又は他の固定ストラップ）は、クリップ９３内の穴９５及び取付ブラケット３２又は基部３１上の穴若しくは開口フランジ又は他の機能（位置９６におけるような）を通って延在する。従って、クリップ９３は、取付ブラケット３２に固定されたままとなる（すなわち、従って、クリップ９３が、ロッド４３（又はロッド４４）から落ちるロッド４３（又はロッド４４）の外端に向かって「歩く」ことを防いでいる。懸垂幕４０は、ロッドを受けるよう懸垂幕に縫製される下部チャンバを含んでいる。図示の懸垂幕４０の外端は、懸垂幕に閉端部を縫製することによって・・・及び／又は懸垂幕をロッドの外端に保持するキャップ又はカップ形状部材によってロッドの外端に固定される。
【００３３】
[0067]  設置用アダプタ３３（図８、及び図１０を参照）は、横材７７によって接続される下向き延在チャネル７５、７６を有する金属又はポリマー成形Ｕ字形体である。チャネル７５、７６は、取付ブラケット３２の外側に嵌合可能に係合するような形状にされている。板ばね７８は、チャネル７５、７６の端部から下方に延在し（又はチャネルの内側に位置決めすることができ）、チャネル７５、７６間に画成されるキャビティの僅かに内側に延在する、内側に丸みが付けられた部分８０を含む。取付ブラケット３２が設置用アダプタ３３内に位置決めされると、板ばね７８の丸みが付けられた端部８０は、取付ブラケット３２を設置用アダプタ３３内に位置決めすることを可能にするよう弾性的に曲がり、次いで、取付ブラケット３２の底部に係合してユニットとして設置用アダプタ３３に取付ブラケット３２を保持するよう曲がる。これにより、伸縮式ポール３８（図１０、図１〜図３）を保持する人がポールを操作して取付ブラケット３２を嵌合基部３１の上に位置決めすることを可能にする。伸縮式ポール３８の下方への動きにより、取付ブラケット３２は引っ張られて基部３１と嵌合係合する。その後の上方への移動により、設置用アダプタ３３は、取付ブラケット３２から引き抜かれ、板ばね７８が撓んで取付ブラケット３２を解放する。最初に上部取付ブラケットを取り付け、次いで、下部取付ブラケットを取り付けるのが最も簡単であるが、必要に応じて代替方法を用いることもできる。
【００３４】
[0068]  図１０〜図１１は、２つの下向き設置用アダプタ３３を支持する横棒３９を有する伸縮式ポール３８を示す。伸縮式ポール３８は、現在の作業を達成するために作業員により必要に応じて入れ子状に伸長又収縮することができる複数の管状区分３８Ａ、３８Ｂ、３８Ｃ（又はそれ以上）を含んでいる。図示のポール３８は、非円形断面等の互いに対して回転しない複数の区分を有し、従って、設置順序中に設置担当者により多くの制御を与えている。伸縮式ポール３８は周知されており、市販されているので、より詳細な説明は、当業者による理解のため、本明細書中で必要としない。
【００３５】
[0069]  本装置３０は、また、地面上の離れた位置から取付ブラケット３２を基部３１から撤去するための撤去用アダプタ３４（図１２〜図１３）を含んでいる。図示の撤去用アダプタ３４は、横材８４によって接続されるフィンガ部８２、８３を有する上向きＵ字形本体を含んでいる。フィンガ部８２、８３は、取付ブラケット３２の突出部６５、６７の対向する側に嵌合するよう十分に離間される。更に、フィンガ部８２、８３の先端８５、８６は、先端８５、８６がアーム７１の下に滑り込み、撤去のためにラッチ穴６６から保持具７０を解放させるように、テーパが付けられるか又はくさび形であり、角度が付けられている。（図９Ｂ及び図１２を参照。）
【００３６】
[0070]  図１３は、伸縮式ポール３８の上端の単一の横棒３９に設置された２つの下向き設置用アダプタ３３及び２つの上向き撤去用アダプタ３４を有するポール取付ツールを示している。図１４〜図１６は、撤去用アダプタ３４が下部取付ブラケット３２の下にあるようにポール３８（図１４）を位置決めすることと、上向きに押圧して保持具７０を解放し、下部取付ブラケット３２（図１５を参照）を外すことと、次いで、上部取付ブラケット３２（図１６）に関してプロセスを繰り返すこととを含む、直立構造物３６から懸垂幕４０を撤去する方法を示している。
【００３７】
[0071]  本装置３０は、地面に立っている間に懸垂幕４０の設置を可能にし、また、地面に立っている間に懸垂幕４０の後の撤去を可能にする。個別の緩締結具は必要ない。特に、ポールツールが設置用アダプタ及び撤去用アダプタの両方を有する場合、本装置により、作業員は既存の吊り下がっている懸垂幕４０を撤去し、次いで、その伸縮式ポール３８を下げずに新しい交換用懸垂幕４０を直ちに設置することが可能となり、従って、プロセスにおける相当な時間を節約することが可能となる。例えば、図１３に示すポールツール３８は、これを可能にする。
【００３８】
[0072]  本図面及び図は街灯ポール３６に取り付けられる懸垂幕４０を示しているが、本装置及び革新的な機能を用いて、電柱、建物壁面、屋外広告板、観覧席、屋根、及び懸垂幕を支持し、良好な視認性を与える実質的に任意の直立構造物に懸垂幕を取り付けることができると特に考えられる。本装置及び革新的な機能は、市、州、及び連邦政府によって、並びに、チーム、企業、及び広告又は他の目的のために懸垂幕を吊り下げることを望んでいるその他の団体によって用いることができる。
【００３９】
変形
[0073]  変更された取付システム／装置（「システム」とも呼ぶ）（図１７〜図１８）は、基部１３１と、取付ブラケット１３２と、設置用アダプタ１３３（図３５、３６）及び撤去用アダプタ１３４（図３５、図３７）を有するポール取付ツール１３８とを含んでいる。これらの構成部品は組み合わされ、協働して、作業員が地面に立っている間に空中高く（空中１５〜１８フィート等）に懸垂幕１４０を設置することを可能にする。これらの構成部品は、装置３０の構成部品と同様に機能し、相互に関係し、同じ番号を用いることによって識別されるが、数字１００が識別番号に追加されている。これは、冗長な議論を低減するために行われている。当業者によって理解されるように、上の機能的考察は、以下で説明する変更された構成部品にも適用されることを意図している。
【００４０】
[0074]  基部１３１（図１９〜図２３）は、屋外での使用を目的としてポリマー又は複合材料（強化又は非強化）から作られるために、より薄型、より軽量、より低コスト、より頑丈で耐久性があり、製造がより簡単であり、概して構造的に良好であるよう上で説明した基部３１から変更されている。基部１３１は、ポール支持体（街灯柱等）に係合するような形状にされる湾曲した背面（図２２、図２３）と、ブラケット係合縁部フランジ１５６、保持具先端受け穴１５７、及び傾斜１５８を有する前面とを含んでいる。上部及び底部横方向フランジ１５４は、基部１３１を図示の街灯柱等のポールにクランプで固定するために街灯柱の周囲に延在するバンドを受けるような形状にされている。角度付きチャネル２００は、基部１３１の底部から水分を排出するための羽根パターンを形成する。これは、雨、氷、及び他の破片が、基部１３１と設置された取付ブラケット１３２との間に侵入及び／又は凍結して問題を引き起こす可能性があるため、基部１３１が屋外環境にある場合に重要である可能性がある。
【００４１】
[0075]  図示の基部１３１は、第２保持具先端受け穴１５７Ａ（又は幾つかのかかる追加の穴）と、穴１５７から穴１５７Ａに通じるチャネルとを有する。上部及び底部基部１３１が正しい距離に離間されている場合、懸垂幕１４０は、上部及び底部懸垂幕担持ロッド１４３及び１４４の間に所望の張力を有する。しかし、試験では、懸垂幕の長さが一致しないか、及び／又は、使用中に垂直方向に「大きくなる」か又は伸びる（風、雨、屋外要素によって懸垂幕が伸びること等の）可能性があるため、調節が望ましいことを示唆している。図示の基部１３１は、保持具１７０によって選択的に係合されて懸垂幕１４０を「最良に張力を受けた」状態で支持することができる第１穴１５７及び第２穴１５７Ａを含んでいる。上部基部１３１は単一の穴１５７を有していてもよく、底部基部１３１は２つの穴１５７及び１５７Ａを有していてもよいか、又は両方が２つ（又はそれ以上）の穴１５７を有することができると考えられる。第２穴１５７Ａは、様々な方法で保持具１７０によって係合することができる。例えば、保持具１７０は、最初の設置の間に第１穴１５７と係合することができる。次に、撤去用アダプタ１３４を用いて、底部取付ブラケット１３２の保持具１７０を係脱させ、取付ブラケット１３２を第２穴１５７Ａまで下げて移動させることができ、それによりロッド１４４、１４５により大きな間隔を適用し、従って、懸垂幕１４０により多くの張力を印加することができる。
【００４２】
[0076]  取付ブラケット１３２（図２４〜図２８）は、ブラケット係合縁部フランジ１５６と摺動可能に係合する垂直縁部フランジ２００Ａを有する本体を含んでいる。フランジ１５６及び２００Ａの図示の嵌合面同士は、対向する側で内向きに角度が付けられて蟻継ぎ状の接続を作成するが、フランジは、「方形」チャネルと係合するような形状にされたプレートの角張った縁部であってもよいか、又は同様に機能する別の構成であってもよいと考えられる。保持具１７０は、中央領域に取り付けられ、ばね１７３によってロック位置にばね付勢される。保持具１７０は、基部１３１内の穴１５７（又は１５７Ａ）と係合するような形状にされた先端１７２を有するシャフトを含んでいる。保持具１７０は、撤去用アダプタ１３４（図３５、３７）のアーム１８３によって係合することができる大型のワッシャ状ヘッド部を含んでいる。取付ブラケット１３２上の第２穴２０４は、保持具１７０の下に位置し、ねじ又はジップタイその他の締結具を配置することができる締結具接続点を提供している。
【００４３】
[0077]  設置は以下のように進行する（図３８〜図４０）。基部１３１は、所望の離間関係で支持構造上に予め設置される（図３８）。２つの取付ブラケット１３２（ロッド１４３、１４４がその内部に固定される）は、懸垂幕１４０をロッド間に吊り下げた状態でポールツール１３８上の設置用アダプタ１３３に着脱自在に係合される（図３８）。伸縮式ポール１３８は、上部取付ブラケット１３２を操作して上部基部１３１と係合させ（図２９〜図３１及び図３９を参照）、次いで第２に、底部取付ブラケット１３２を底部基部１３１に係合させる（図４０を参照）ために用いられる。両方の取付ブラケット１３２がそれぞれの基部１３１に取り付けられると、懸垂幕１４０（シート１４１及びロッド１４３、１４４を含む）は、懸垂幕１４０が読み取れる位置でロッド１４３、１４４の間に広がった状態で、直立構造物１３６上に支持される。必要に応じて、撤去用アダプタ１３４は、保持具１７０を下部穴１５７Ａ（図３２〜図３３）に移動させるために用いることができる。設置後、設置用アダプタ１３３を有する伸縮式ポール１３８を離すことができる。特に、本システムはいずれかの個別の緩締結具を必要とせず、従って、個別の手動工具又はリフトトラック又ははしごを必要とせずに離れて手動設置を可能にしており、そのため、従来の方法よりも安全で、設置するのが早く、ストレスが少ない。
【００４４】
[0078]  懸垂幕１４０（図４１〜図４２）を撤去するには、撤去用アダプタ１３４を有するポールツールを用いて最初に下部取付ブラケット１３２（図４１）に係合し、その結果、上向きの動きにより、アーム１８３が保持具１７０のヘッド部に係合してそれを係脱させて（すなわち「そのロックを解除する」）、取付ブラケット１３２を解放し、基部１３１から上方に摺動させる。撤去用アダプタ１３４は、折曲げ板ばね部材１８３を含み、また、取付ブラケットの中央に係合して撤去中に選択された取付ブラケット１３２上のアダプタ１３４を整列させる弾丸形突出部１８３Ａも含んでいる。同様の手順を用いて、上部取付ブラケット１３２を撤去する（図４２）。必要に応じて、第１懸垂幕１４０の撤去及び第２懸垂幕１４０の設置の両方を、ポールツール１３８を下げることなく、単一の順序で行うことができる。
【００４５】
[0079]  図４４は、発明の代替の実施形態による、ポールに取り付けられる旗／懸垂幕に張力をかけることに用いるための上部ブラケットアセンブリを示す正面分解図である。同様に、図４５は、図４４に示す上部ブラケットアセンブリの背面分解図である。図４６は、図４４及び図４５で見て取れるような上部ブラケットの側面断面図である。
【００４６】
[0080]  図４４、図４５、及び図４６のそれぞれを参照すると、上部ブラケットアセンブリ２００Ａ／２００Ｂは、その上端２０３が蟻継ぎテーパで構成される略矩形の形状である基部２０１を含んでいる。基部２０１は、第１ガイドチャネル２０７及び第２ガイドチャネル２０９がガイド部材２０５の両側に位置決めされているその表面を横断して長手方向に延在する隆起ガイド部材２０５を有して形成される剛性材料である。第１ガイドチャネル２０７及び第２ガイドチャネル２０９は、上部取付ブラケットが上部取付ブラケットを剛性位置に保持するために基部２０１の一部を略巻回することを可能にする。隆起ガイド部材２０５は、複数の開口２１１、２１３を含んでいる。第１開口２１１及び第２開口２１３の両方は、ねじ締結具等を用いて基部２０１を取り付けるために座ぐられている。開口又は穴の上端は、ねじ頭がガイド部材２０５の上面の下に留まることを可能にするために、直径がより大きい。これは、隆起ガイド部材２０５の上を移動する際に取付ブラケット２１９との干渉を防ぐ。更に、基部２０１は、脚２１５、２１７に取り付けられている。脚２１５、２１７は、照明ポール又は他の円筒形に構成される直立構造物の円形輪郭に一致するために基部２０１背面において凹面２１９を形成している。これは、容易な取り付けを促進し、基部２０１が垂直方向に移動したり、ポール周囲を回転することができない固定位置に留まることを保証する。
【００４７】
[0081]  上部取付ブラケット２１９は、懸垂幕を支持している間、基部２０１を着脱自在に係合するよう構成される。取付ブラケット２１９は、その大きさ及び形状が隆起ガイド部材２０５と係合するよう構成される主チャネル２２１を含んでいる。複数の翼状チャネル２２３、２２５は、隆起ガイド部材２０５を横切って垂直に移動するように主チャネル２２１を向け、支持するよう機能する。取付締結具２２９及びそのねじ頭は、上部取付ブラケット２１９が主チャネル２２１に沿って地面に向かって下方に移動しすぎないよう防ぐための止め具として機能する。更に、懸垂幕担持ロッド２３１は、支持開口２２７内で摩擦係合されて懸垂幕の上端を水平位置に保持する。図４６で最良に見て取れるように、懸垂幕担持ロッド２３１は、地面から上方に略角度０〜１０度の間の範囲で傾くように位置決めされる。懸垂幕担持ロッド２３１を上向き傾斜又は斜めに構成することにより、強風状態における懸垂幕担持ロッド２３１のその開放端２３２に向かう外向きの懸垂幕の移動を防止する。従って、傾斜ロッドは、懸垂幕が固定された吊り下げ位置を良好に維持することを可能にする。
【００４８】
[0082]  懸垂幕が取付ブラケット２１９に近づき過ぎて移動しないよう防ぐために、懸垂幕担持ロッド２３１は、ロッドの取付端、すなわち、取付ブラケット２１９によって支持される端部における所定位置に構成される懸垂幕保持クリップを含む。懸垂幕固定クリップ又は懸垂幕保持クリップ２３３は、懸垂幕及び懸垂幕担持ロッド２３１の両方の上にスナップ留めされて、懸垂幕が懸垂幕ロッド上で外側に摺動するか及び／又は上部取付ブラケット２１９に向かって移動することを防ぐ。
【００４９】
[0083]  図４４Ａは、懸垂幕及び懸垂幕担持ロッドの上に係合される懸垂幕保持クリップを示す拡大断面図である。懸垂幕保持クリップ２３３は、支持ロッドの表面の摩擦を高めるための摩擦生成機構として機能する。保持クリップ２３３は、通常、ポリエチレンプラスチック又は同様の材料等の可撓性又はばね付勢材料で製造される。懸垂幕保持クリップ２３３は、懸垂幕保持ロッド２３１の一部の上に容易にスナップ留め及び／又は押圧することができるように、その本体内部で長手方向にスリット又は間隙２３４を含むような大きさにされ、構成される。クリップ素材のデュロメータは記憶保持形状を有しているので、屈曲されるか又は折り曲げられた後、元の形状に戻る。
【００５０】
[0084]  懸垂幕保持クリップ２３３が懸垂幕２３０及び懸垂幕担持ロッド２３１の上に位置決めされると、それは、懸垂幕２３０を実質的に固定位置に維持するように、ロッド２３１に摩擦係合する。従って、懸垂幕保持クリップ２３３は、取付ブラケット２１９に向かう懸垂幕の移動を停止及び／又は防止するよう機能する。滑り止めテープ等のような滑り止め材料２１５は、懸垂幕保持クリップ２３３に隣接して外側に位置決めされる。滑り止め材料２１５は、懸垂幕担持ロッド２３３の開放端に向かう懸垂幕保持クリップ２３３の横方向の動きを防止するよう機能する。
【００５１】
[0085]  更に、上部取付ブラケット２１９は、上部取付ブラケット２１９が基部２０１とその上で係合する場合に上部取付ブラケット２１９を実質的に固定位置に保持するための保持具２３７を含んでいる。保持具２３７は、ノブ２３８と、取付穴２３９を通過するねじ付きシャフト又はステムとを有する。ばね２４１及びヘッド部２４３は、保持具２２７を圧縮して上部取付ブラケット２１９に保持する。上部取付ブラケット２１９が基部２０１及びノブ２３８と係合すると、張力が基部２０１から外向きに印加されてもよく、ここでばね２４１はこの動きに弾性力を提供する。張力は、開口２１１からヘッド部２４３を後退させるよう作用する。これは、順に、隆起ガイド部材２０５が摺動し、主チャネル２２１及び翼状チャネル２２３、２２５の両方にわたって上方に容易に移動することを可能にする。使用中、上部取付ブラケット２１９は、概して、静止懸垂幕位置を維持するように固定取付位置に留まる。しかし、上部ブラケットアセンブリ２００Ａ、２００Ｂは、開口２１１からヘッド部２４３を係脱させることにより、上部ブラケット２１９がその基部２０１から容易に取り外されることを可能にする。ヘッド部２４３は略円形構成で示されているが、当業者は、ヘッド部２４３をその対応する開口２１１内に最良に保持するよう機能するシャフト状ピン又はヘッド部２４３の任意の形状を用いることができることを正しく認識するであろう。
【００５２】
[0086]  図４７は、ポールに取り付けられる旗／懸垂幕に張力をかけるために用いられる下部調節可能ブラケットアセンブリを示す正面分解図である。図４８は、図４７に示す下部調節可能ブラケットアセンブリの背面分解図である。図４９は、下部調節可能ブラケットの側面断面図である。本明細書中に説明するように、下部ブラケットアセンブリ３００Ａ／３００Ｂは、懸垂幕張力の容易な調節のために基部上の多数の位置における下部調節可能取付ブラケットのロック及び垂直移動の両方を可能にするために、その基部上にラチェット面３０６を含むという点で、上部ブラケットアセンブリ２００Ａ／２００Ｂとは異なっている。従って、上部ブラケットアセンブリ２００Ａ／２００Ｂ及び下部ブラケットアセンブリ３００Ａ／３００Ｂの両方で、ヘッド部の操作は、ブラケットを所定位置にロックするために必要としない。しかし、下部ブラケットアセンブリ３００Ａ／３００Ｂにおいて、ヘッド部の操作は、ラチェット面のその使用に鑑みて、懸垂幕の張力を調節するために必要としない。更に具体的に言うと、下部ブラケットアセンブリは下方向に徐々に移動し、「ポール取付ツール」としても知られる入れ子状ポールツールに地面から取り付けられる「Ｊ形フック」状の固定具を用いて容易に位置決めすることができる。上向きの移動が必要な場合、入れ子状に取り付けられるポールツールは、ヘッド部をラチェット面から係脱させて、下部ブラケットアセンブリを上部ブラケットアセンブリに向かって上向きに移動させることができる。
【００５３】
[0087]  図４７、図４８、及び図４９のそれぞれを参照すると、下部ブラケットアセンブリ３００Ａ／３００Ｂは、略矩形の形状である基部３０１を含んでいる。その上端３０３は、関連する取付ブラケットをその上に容易に取り付けることを可能にする蟻継ぎテーパ付縁部と共に構成されている。基部３０１は、通常、プラスチック又は金属で形成される剛性材料である。基部３０１は、その中心を横切って長手方向に延在する隆起ガイド部材３０５を含み、ここで第１ガイドチャネル３０７及び第２ガイドチャネル３０９は、ガイド部材３０５の両側に長手方向に基部３０１内に構成されている。
【００５４】
[0088]  隆起ガイド部材３０５の表面には、ラチェット面３０６がある。ラチェット面３０６は、間に間隙を有して２列に配置された複数の隆起歯３０８等の順次係合位置から構成されている。一実施形態において、各列は、垂直に配置されるが水平方向の幅又は寸法も有する７つの歯を含んでいる。当業者は、歯の異なる構成も可能であることを正しく認識するであろう。図４９で最良に見て取れるように、各歯３０８は略三角形の断面形状を有している。上面は傾斜又は角度面を有する一方で、三角形の下面は基部３０１の表面に対して直角に構成される。従って、ヘッド部３４３は、係合面、すなわち、ラチェット面３０６の形状及び／又は輪郭と略一致する形状及び輪郭を有するラチェット面と同様に構成された面として機能する。
【００５５】
[0089]  使用中、歯の１つの表面は下向きに傾斜し、ラチェットヘッド部３４３がその表面を横切って下方向に徐々に移動する各歯を横断して移動することを可能にする。そのため、ラチェットヘッド部３０６の任意の上方移動は、ラチェット面３０６からのヘッド部３４３の係脱なく防止される。第１ガイドチャネル３０７及び第２ガイドチャネル２０９は、下部取付ブラケットが下部取付ブラケットを剛性位置に保持するために基部３０１の一部を略巻回することを可能にするよう構成される。従って、用語「順次係合位置」は、ラチェットヘッド部３４３がラチェット面３０６の表面上に位置決めされる逐次的な方法、すなわち、ラチェットヘッド部３４３がラチェット面３０６と多数の位置において係合して懸垂幕の張力を設定することができる方法を意味する。
【００５６】
[0090]  隆起ガイド部材３０５は、更に、複数の止めガイド３０２、３０４及び複数の開口３１１、３１３を含んでいる。１つの止めガイドは歯の各列の上に位置決めされ、ここで止めガイド３０２、３０４はラチェット面３０６の上に構成され、止めガイド３０２、３０４の下の歯と係合する前にラチェットヘッド部を上げる必要がある。更に、基部３０１内の第１開口３１１及び第２開口３０１の両方は、ねじ締結具等を用いて基部３０１を取り付けるために座ぐられている。開口又は穴の上端は、ねじ頭がガイド部材３０５の上面の下に留まることを可能にするために、直径がより大きい。これは、隆起ガイド部材３０５の上を移動する際に取付ブラケット３１９との干渉を防ぐ。更に、基部３０１は、脚３１５、３１７に取り付けられている。脚３１５、３１７は、照明ポール又は他の円筒形に構成される直立構造の円形輪郭に一致するために基部３０１背面において凹面３１９を形成している。脚３１５、３１７は、基部を直立構造物に保持するようホース及び／又は取付クランプを収容する。これは、容易な取り付けを促進し、基部３０１が固定位置に留まることを保証する。
【００５７】
[0091]  下部取付ブラケット３１９は、懸垂幕を支持している間、基部３０１と係合し、徐々に移動するよう構成される。取付ブラケット３１９は、その大きさ及び形状が隆起ガイド部材３０５及びラチェット面３０６と係合するよう構成される主チャネル３２１を含んでいる。複数の翼状チャネル３２３、３２５は、ラチェット面３０６を横切って垂直に移動するように主チャネル３２１を向け、支持するよう機能する。取付締結具３２９及びそのねじ頭は、主チャネル３２１に沿った下部取付ブラケット３１９の下方への移動を制限することによって、突き合わせ又は止め具として機能する。
【００５８】
[0092]  更に、懸垂幕担持ロッド３３１は、支持開口３２７内に位置するロッド保持穴内部で摩擦係合されて懸垂幕の下端を略水平位置に保持する。図４６で最良に見て取れるように、懸垂幕担持ロッド３３１は、地面に向かって下方に略０〜１０度の間の反対の角度の範囲で傾くように位置決めされる。懸垂幕担持ロッド３３１を懸垂幕担持ロッド２３１と反対の角度に構成すること、すなわち、下向き傾斜又は斜めを有するものにより、強風状態の間に懸垂幕がその張力を保持することを可能にしている。従って、下方傾斜ロッドは、懸垂幕がその固定された吊り下げ位置を良好に維持することを可能にする。
【００５９】
[0093]  懸垂幕が取付ブラケット３１９に近づき過ぎて移動しないよう防ぐために、懸垂幕担持ロッド３３１は、ロッドの取付端、すなわち、取付ブラケット３１９によって支持される端部における所定位置に位置決めすることができる摩擦生成機構として機能する懸垂幕保持クリップ３３３を含む。本明細書中及び図４４Ａにおいて説明されるように、懸垂幕保持クリップ３３３は、屈曲され、折り曲げられる場合にその形状を実質的に保持するプラスチックのような可撓性材料で製造される。懸垂幕保持クリップ３３３は、懸垂幕及び懸垂幕担持ロッド３３１の両方の上に容易にスナップ留め及び／又は締結することができるように、本体に沿って長手方向にスリット又は間隙を含むような大きさにされ、構成される。懸垂幕保持クリップ３３３が懸垂幕担持ロッド３３１の上に位置決めされると、それは、取付ブラケット３１９に向かう懸垂幕の移動を停止及び防止しながら、懸垂幕をロッド上の実質的固定位置に維持する。研磨テープ等のような滑り止め材料３１５は、懸垂幕保持クリップ３３３に隣接して外側に位置決めされ、懸垂幕担持ロッド２３１の開放端に向かう懸垂幕保持クリップ３３３の横方向の動きを防止するよう機能する。研磨又は滑り止め材料３１５は、接着糊、粘着テープにより懸垂幕担持ロッド３３１に固定されてもよいか、又は懸垂幕ロッドに噴霧されてもよい。
【００６０】
[0094]  最後に、下部取付ブラケット３１９は、下部取付ブラケット３１９が基部３０１とその上で係合する場合にラチェットヘッド部３４３を実質的に固定位置に保持するための保持具３３７を含んでいる。ラチェットヘッド部３４３は、ラチェット面３０６上で歯３０８と嵌合する複数の隆起歯３４４を含んでいる。一実施形態において、ラチェットヘッド部３４３は５つの歯を含んでいてもよい。保持具３３７は、ノブ２３８と、取付穴３３９を通過するねじ付きシャフト又はステムとを有する。ばね３４１及びラチェットヘッド部３４３は、保持具３２７を圧縮して下部取付ブラケット３１９に保持する。下部取付ブラケット３１９がラチェット面３０６と係合すると、ノブ３３８を基部３０１から外向きに引っ張ることができるので、ばね３４１は弾性力を提供する。ラチェットヘッド部３４３がＪ形フック等を用いてラチェット面３０６上で下向きに引っ張られると、このラチェット型の動きは、上部取付ブラケット２１９に対する下部取付ブラケット３１９の垂直位置の容易な調節を可能にする。使用中、下部取付ブラケット３１９は、地面からポールを用いて容易に移動可能である。そのため、下部ブラケットアセンブリ３００Ａ／３００Ｂの構成は、ラチェット面３０６にわたってラチェットヘッド部３４３を下方に引っ張ることにより、下部ブラケット３３９をその基部３０１から容易に取り外すことも可能にする。懸垂幕の上部は位置が固定されているため、これにより設置者は懸垂幕に所望の張力を設定することができる。ラチェットヘッド部３１１は略方形構成で示されているが、当業者は、依然としてラチェット面３０６と係合及び嵌合するよう機能しながら、その対応する開口３１１内にヘッド部３１１を最良に保持するよう機能する任意の形状を用いてもよいことを正しく認識するであろう。
【００６１】
[0095]  図５０は、ラチェット面３０６と係合するラチェットヘッド部３４３の拡大断面図を示している。図５１は、ラチェット面３０６から係脱するラチェットヘッド部３４３の拡大断面図を示している。本明細書中に説明するように、歯３０８の三角形断面形状のために、ラチェットヘッド部３４３及びその起伏面は、地面に向かって下方向にのみ移動することができる。これにより、設置者は、懸垂幕が上部取付ブラケット２１９に関連付けられる懸垂幕ロッド２３２に固定された後、それを下方に引っ張ることによって懸垂幕を地面から容易に張力をかけることができる。
【００６２】
[0096]  最後に、図５２は、懸垂幕を支持する上部調節可能ブラケット及び下部調節可能ブラケットの立面図である。懸垂幕アセンブリ４００は、懸垂幕４０１を支持して取り付けられ、両方が直立構造物４０２に取り付けられる上部調節可能ブラケットアセンブリ２００Ａ／２００Ｂ及び下部調節可能ブラケットアセンブリ３００Ａ／３００Ｂを含んでいる。フック４０７を有する入れ子状ポール取付ツール４０５は、地面から下部調節可能ブラケットアセンブリ３００Ａ／３００Ｂを容易に調節するために用いることができる。当業者は、また、図５２に示すような構成が、上部ブラケットアセンブリが上方に調節されるラチェット面を含み、下部ブラケットアセンブリが所定位置に固定されるように、反対にすることができることを正しく認識するであろう。なお、更に別の実施形態は、両方がラチェット面を含む上部ブラケット及び下部ブラケットの両方を含むことができ、そのため、それら両方が互いに対向する方法で垂直方向に調節されてもよい。
【００６３】
[0097]  従って、本発明の実施形態は第１基部が直立構造物に固定して取り付けられ、第１取付ブラケットが懸垂幕の上端を保持するために第１基部に取り付けられる懸垂幕取付アセンブリ及び方法に向けられている。第２基部は直立構造物に固定され、第２取付ブラケットが第２基部に取り付けられ、懸垂幕の下端を支持している間、第２基部を着脱自在に係合するよう構成される。第２基部は調節可能な取付アセンブリを形成し、ラチェット面が、懸垂幕に調節可能な張力を提供するために、第２取付ブラケットを第１取付ブラケットに対して垂直に調節することを可能にするための第２取付ブラケットにおけるラチェットヘッド部と摺動可能に係合する。変形及び変更は、本発明の概念から逸脱することなく前述の構造に行うことができることは言うまでもなく、更に、かかる概念は、以下の特許請求の範囲がそれらの言語により明示的に指定しない限り、それら特許請求の範囲によってカバーされることを意図していることは言うまでもない。
【００６４】
[0098]  前述の明細書において、本発明の特定の実施形態を説明してきた。しかし、当業者は、様々な修正及び変更を、以下の特許請求の範囲に記載されるような本発明の適用範囲から逸脱することなく行うことができることを正しく認識する。従って、明細書及び図面は、制限的な意味ではなく、例示的に見なされるべきであり、かかる全ての修正は、本発明の適用範囲内に含まれることを意図している。利益、利点、問題に対する解決、及び、任意の利益、利点、又は解決が生じるか、より明白となる任意の要素も、重要、必要、又は必須の特徴若しくは構成要素として解釈されるべきではない。発明は、本出願の係属中に行われる任意の補正を含む添付の特許請求の範囲及び発行されるようなそれらの特許請求の範囲の全ての均等物によってのみ定義される。
【図１】
2021503619.tif 000003
【図２】
2021503619.tif 000004
【図３】
2021503619.tif 000005
【図４】
2021503619.tif 000006
【図５】
2021503619.tif 000007
【図６】
2021503619.tif 000008
【図７】
2021503619.tif 000009
【図８】
2021503619.tif 000010
【図９Ａ】
2021503619.tif 000011
【図９Ｂ】
2021503619.tif 000012
【図９Ｃ】
2021503619.tif 000013
【図９Ｄ】
2021503619.tif 000014
【図９Ｅ】
2021503619.tif 000015
【図１０】
2021503619.tif 000016
【図１１】
2021503619.tif 000017
【図１２】
2021503619.tif 000018
【図１３】
2021503619.tif 000019
【図１４】
2021503619.tif 000020
【図１５】
2021503619.tif 000021
【図１６】
2021503619.tif 000022
【図１７】
2021503619.tif 000023
【図１８】
2021503619.tif 000024
【図１９】
2021503619.tif 000025
【図２０】
2021503619.tif 000026
【図２１】
2021503619.tif 000027
【図２２】
2021503619.tif 000028
【図２３】
2021503619.tif 000029
【図２４】
2021503619.tif 000030
【図２５】
2021503619.tif 000031
【図２６】
2021503619.tif 000032
【図２７】
2021503619.tif 000033
【図２８】
2021503619.tif 000034
【図２９】
2021503619.tif 000035
【図３０】
2021503619.tif 000036
【図３１】
2021503619.tif 000037
【図３２】
2021503619.tif 000038
【図３３】
2021503619.tif 000039
【図３４】
2021503619.tif 000040
【図３５】
2021503619.tif 000041
【図３６】
2021503619.tif 000042
【図３７】
2021503619.tif 000043
【図３８】
2021503619.tif 000044
【図３９】
2021503619.tif 000045
【図４０】
2021503619.tif 000046
【図４１】
2021503619.tif 000047
【図４２】
2021503619.tif 000048
【図４３】
2021503619.tif 000049
【図４４】
2021503619.tif 000050
【図４４Ａ】
2021503619.tif 000051
【図４５】
2021503619.tif 000052
【図４６】
2021503619.tif 000053
【図４７】
2021503619.tif 000054
【図４８】
2021503619.tif 000055
【図４９】
2021503619.tif 000056
【図５０】
2021503619.tif 000057
【図５１】
2021503619.tif 000058
【図５２】
2021503619.tif 000059
【国際調査報告】
2021503619.tif 000060
2021503619.tif 000061
2021503619.tif 000062